【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】 周囲温度を検知し、モータスタータ（１２）の周囲温度を示す周囲温度信号を提供する周囲温度センサ（３６）と、電気伝導バス（２２）の温度を示すポール温度信号を生じる前記モータスタータ（１２）内の電気伝導バス（２２）と熱伝達をする、少なくとも一つのポール温度センサ（３０）と、前記周囲温度センサ（３６）及び少なくとも一つのポール温度センサ（３０）に接続される処理ユニット（２８）と、プログラムが組み込まれた前記処理ユニット（２８）は、前記周囲温度信号及びモータスタータ（１２）の動作温度を決定するポール温度信号を周期的に取得し（７２，１１４）、周囲及びポール温度信号の周期的取得に基づいて動作温度（８２）内での変化を監視し、動作温度内での変化に基づく前記モータスタータ（１２）の出力を調整するモータスタータ温度補償制御装置。
【請求項２】 温度データを記憶する少なくとも１つのルックアップテーブルを有するメモリユニット（２９）を、更に含むことを特徴とする請求項１記載の制御装置。
【請求項３】 少なくとも１つの前記ルックアップテーブルは、少なくとも１個のモータ（１４）、モータスタータ（１２）、および周囲状況のための温度データを含むことを特徴とする請求項２記載の制御装置。
【請求項４】前記処理ユニットは、もしモータ始動アンペア容量（８８）が適切でないなら、モータ始動温度（７８，８２）と負荷温度（８０，８２）を比較し、適切なモータ始動アンペア容量（８８）を決定し、モータＦＬＡ（９６）を調整するように、さらにプログラムされていることを特徴とする請求項１記載の制御装置。
【請求項５】 前記処理ユニットは、周囲温度、モータ温度、スタータ温度の内の少なくとも一つの増加のため、アンペア容量損を補償するためモータＦＬＡ（９６）を調整するように、更にプログラムされていることを特徴とする請求項１記載の制御装置。
【請求項６】 前記処理ユニットは、モータＦＬＡがモータ制限（９８）を越えないことを確実にするように、更にプログラムされていることを特徴とする請求項１記載の制御装置。
【請求項７】 過度の温度状態と次の始動まで冷却に要する時間の、少なくとも一つを外部への警告を表示するために、前記処理ユニット（２８）に接続された少なくとも一つの表示装置（１３，６４）を、更に含むことを特徴とする請求項１記載の制御装置。
【請求項８】 ３個の電源ポール（２２，２４，２６）を有するモータスタータと、各電源ポールは、その上にヒートシンク（４２，４４，４６）と、該ヒートシンクと熱伝達を行うファン（４８，５０，５２）とを有し、３個のポール温度センサ（３０，３２，３４）と、各センサはモータスタータ（１２）の電源ポール（２２，２４，２６）と熱伝達を行い、第１、第２、および第３のポール温度信号を生じるものであり、そして、外部周囲温度のモデル化（７６）、スタータ温度のモデル化（７８）、モータ温度のモデル化（８０）、温度比較の実行（８２）、モータアンペア容量比較の実行（８４）、及び以前の始動パラメータ（８６）に基づく、安全なモータ始動条件の確保（８８）の各ステップが、さらにプログラムされている前記処理ユニット（２８）が備えられていることを特徴とする請求項１記載の制御装置。
【請求項９】 前記処理ユニット（２８）は、周囲温度信号及びポール温度信号を周期的に読み出す（７２）ことによって、モータ冷却を追跡し、そしてモータ温度のモデル化を創り出し（８０）、周囲温度信号に基づき周囲温度プロファイルモデル（７６）及びポール温度プロファイルモデル（７６）を創り出し、ポール温度信号はモータ冷却中、読み出され（１１４）、前記周囲温度プロファイルモデル（７６）と前記ポール温度プロファイルモデル（７６）を比較し、そして、もし前記周囲温度プロファイルモデル（７６）の一つあるいは多数、及びポール温度プロファイルモデル（７６）が、安全始動条件（８８）を越えるなら、メインテナンス指示（１１０）を生じる各ステップが更にプログラムされていることを特徴とする請求項１記載の制御装置。
【請求項１０】 周期的に周囲温度及び前記モータスタータ（１２）内の各ポールのポール温度を監視し、監視された周囲及びポール温度を周期的に記憶し（７４）、現在の周囲及びポール温度を、以前に記録された周囲及びポール温度を比較し（８２，８６）、そして、もし温度比較が、最大セーフパラメータ（９４）及びＦＬＡ調整がモータ制限（１０８）であるならば、モータ始動（１０６）を防止する各ステップを含むことを特徴とする、熱的にモータ（１４）を保護し、前記モータスタータ（１２）を温度補償する方法。
【請求項１１】 モータ冷却中（１０６）、周囲温度及びポール温度を周期的に監視（１１４）することによって、モータ冷却を追跡し、該追跡に基づき、外部周囲温度（７６）、スタータ温度（７８）、及びモータ温度（８０）をモデル化する各ステップをさらに含む請求項１０に記載の方法。
【請求項１２】 もし、モータのアンペア容量制限（１４）が、過大でないならば（１０５）、ＦＬＡ調整の増加のステップをさらに含む請求項１０に記載の方法。
【請求項１３】 次の始動が認められる（８８，９０）まで、冷却に必要な時間を表示する（１１２）ステップをさらに含む請求項１０に記載の方法。
【請求項１４】 周囲温度を検知し、周囲温度信号を創り出す周囲温度センサ（３６）と、モータスタータ（１２）内のポール温度を検知し、それからポール温度信号を作り出すためのポール温度センサ（３０）と、周囲及びポール温度信号を周期的に記憶するメモリ（２９）と、現在の周囲及びポール温度をメモリ（２９）内に記憶された以前の周囲及びポール温度と比較し、また、現在の周囲及びポール温度条件が、以前のＦＬＡ調整が不適当である（９４）ために、内部抵抗の増加のためモータ（１４）を始動させる時、モータ（１４）にＦＬＡ調整を増加させる（９６）ためのプロセッサ（２８）とを含む、熱的にモータ（１４）及びモータスタータ（１２）を保護するためのモータスタータ制御装置。
【請求項１５】 周囲温度センサ（３６）は、与えられた動作環境に対して、動作温度の範囲を有するルックアップテーブル（２９）を含む、請求項１４に記載の制御装置。
【請求項１６】 プロセッサ（２８）は、コンプライアンスの仕様を確認するために、装置制限（９８）に対して、ＦＬＡ調整内での増加を確認する、請求項１４に記載の制御装置。
【請求項１７】 もし、ＦＬＡ調整がアンペア容量定格を越えるならば（９８、１０８）、また、次の始動時間を越えるならば（１０６）、プロセッサ（２８）はモータ始動を防止し、さらに次に始動する時間を決定し、そして、制御装置（１０，６４）が、更に次の始動時間を表示する（１１２）ためのディスプレイ（１３）を含む、請求項１４に記載の制御装置。
【請求項１８】 プロセッサ（２８）は、モータ冷却を追跡し（１１４）、安全条件になるまで（８８、９０）、モータ始動を防止する、請求項１７に記載の制御装置。
【手続補正２】
【補正対象書類名】明細書
【補正対象項目名】０００８
【補正方法】変更
【補正の内容】
【０００８】
本発明によれば、モータスタータの温度補償及び保護制御は、周囲温度を検知するための周囲温度センサを含み、モータスタータの周囲温度を示す周囲温度信号を供給し、そして電気的伝導バスの温度を示す極（ポール）の温度信号を生じる、モータスタータ内の電気的な伝導バスを備える熱伝達で少なくとも１つのポール温度センサを備える。処理ユニットは周囲温度センサ及び少なくとも１つのポール温度センサに接続され、モータスタータの操作温度を決定するために、周囲及びポール温度信号を周期的に取得するようにプログラムされており、そして、周囲及びポールの温度信号の周期的取得に基づき、モータの動作温度のいかなる変化も監視する。動作温度が上昇するとき、電気的装置の出力が一定であるようにするため、動作温度の変化に基づきモータスタータの出力は調整されている。これは定格負荷で動作するために、付加的周囲温度のための補償に求められる、より大きい装置について電気定格を必要としない。
【手続補正３】
【補正対象書類名】明細書
【補正対象項目名】００１２
【補正方法】変更
【補正の内容】
【００１２】
図１に示されるように、本発明の制御手段１０は三相モータスタータへの適用を示している。知られているように、モータスタータ１２は三相電源１５からモータ１４へ電力を中継するが、それは制御コイル１６，１８及び２０を制御することによって一部分で、また、図示されない一般的にポールＡ２２，ポールＢ２４，及びポールＣ２６のようにブロックダイアグラム形式で示されている二つの伝導バスバー間に一般的にクランプされた（図示されない）一対のＳＣＲの制御によって一部分で行われる。
【手続補正４】
【補正対象書類名】明細書
【補正対象項目名】符号の説明
【補正方法】変更
【補正の内容】
【符号の説明】
１２ モータスタータ
１４ モータ
２２ 電気伝導バス
２８ 処理ユニット（マイクロプロセッサ）
２９ メモリ
３０ 温度センサＡ
３２ 温度センサＢ
３４ 温度センサＣ
３６ 周囲温度センサ